(57)【要約】【課題】音声非対応システムに在圏する移動機が迅速に音声通信を開始するための技術を提供することである。【解決手段】本発明の一態様は、複数のＲＡＴ（Ｒａｄｉｏ  Ａｃｃｅｓｓ  Ｔｅｃｈｎｏｌｏｇｙ）により通信可能な移動機であって、入力インタフェース手段を介しユーザにより入力された操作を判断する入力操作判断部と、音声通信に対応したＲＡＴを用いた音声対応基地局と、音声通信に非対応なＲＡＴを用いた音声非対応基地局との間のＲＡＴ遷移を実行する通信制御部と、前記入力された操作が音声発信のための準備操作であると前記入力操作判断部が判断すると、在圏中の前記音声非対応基地局から前記音声対応基地局に遷移するよう前記通信制御部に指示する音声発信制御部と、を有する移動機に関する。【選択図】図４
2014204209.tif 000002
【特許請求の範囲】
【請求項１】
複数のＲＡＴ（Ｒａｄｉｏ  Ａｃｃｅｓｓ  Ｔｅｃｈｎｏｌｏｇｙ）により通信可能な移動機であって、
入力インタフェース手段を介しユーザにより入力された操作を判断する入力操作判断部と、
音声通信に対応したＲＡＴを用いた音声対応基地局と、音声通信に非対応なＲＡＴを用いた音声非対応基地局との間のＲＡＴ遷移を実行する通信制御部と、
前記入力された操作が音声発信のための準備操作であると前記入力操作判断部が判断すると、在圏中の前記音声非対応基地局から前記音声対応基地局に遷移するよう前記通信制御部に指示する音声発信制御部と、を有する移動機。
【請求項２】
前記音声発信のための準備操作は、前記入力インタフェース手段を介した前記ユーザによるダイヤル発信画面表示操作、ダイヤル操作、電話帳検索操作及び発着信履歴表示操作の少なくとも１つを含む、請求項１記載の移動機。
【請求項３】
前記音声対応基地局への遷移後に前記音声発信のための発信実行操作を前記入力操作判断部が検出すると、前記音声発信制御部は、前記音声対応基地局に音声発信要求を送信するよう前記通信制御部に指示する、請求項１又は２記載の移動機。
【請求項４】
前記音声対応基地局への遷移前に前記音声発信のための発信実行操作を前記入力操作判断部が検出すると、前記音声発信制御部は、前記ＲＡＴ遷移を中断し、前記音声非対応基地局に音声発信要求を送信するよう前記通信制御部に指示する、請求項１乃至３何れか一項記載の移動機。
【請求項５】
前記通信制御部は、前記音声非対応基地局における動作状態に応じた動作状態により前記音声対応基地局に遷移する、請求項１乃至４何れか一項記載の移動機。
【請求項６】
前記音声通信に対応したＲＡＴは３Ｇであり、前記音声通信に非対応なＲＡＴはＬＴＥである、請求項１乃至５何れか一項記載の移動機。
【請求項７】
複数のＲＡＴ（Ｒａｄｉｏ  Ａｃｃｅｓｓ  Ｔｅｃｈｎｏｌｏｇｙ）により通信可能な移動機の音声発信処理のための方法であって、
入力インタフェース手段に入力された操作が音声発信のための準備操作であるか判断するステップと、
前記音声発信のための準備操作の検出に応答して、音声通信に非対応なＲＡＴを用いる在圏中の基地局から、音声通信に対応したＲＡＴを用いた音声対応基地局に遷移するためのＲＡＴ遷移を実行するステップと、
前記音声対応基地局への遷移後に前記音声発信のための発信実行操作を検出すると、前記音声対応基地局に音声発信要求を送信するステップと、を有する方法。
【発明の詳細な説明】
【技術分野】
【０００１】
本発明は、無線通信システムにおける音声発信処理に関する。
【背景技術】
【０００２】
現在のＬＴＥ（Ｌｏｎｇ  Ｔｅｒｍ  Ｅｖｏｌｕｔｉｏｎ）システムでは、ＶｏＩＰ（Ｖｏｉｃｅ  ｏｖｅｒ  Ｉｎｔｅｒｎｅｔ  Ｐｒｏｔｏｃｏｌ）サービスなどのパケットベースの音声通信サービスは提供されていない。このため、ＬＴＥシステムに在圏する移動機が音声発信する場合、従来の第３世代無線通信（３Ｇ）システムの回線交換（Ｃｉｒｃｕｉｔ  Ｓｗｉｔｃｈｅｄ）通信を利用して音声通信が実現される。すなわち、移動機は、音声発着信の際は３ＧシステムへのＲＡＴ（Ｒａｄｉｏ  Ａｃｃｅｓｓ  Ｔｅｃｈｎｏｌｏｇｙ）遷移（ＣＳフォールバック）を実行し、ＣＳ通信により音声通信を行っている。
【０００３】
図１は、従来技術によるＣＳフォールバック処理を示すシーケンス図である。図１に示されるように、ステップＳ１１において、ＬＴＥ基地局に在圏する移動機は、発信先装置の電話番号を指定するため、通話アプリなどを介してユーザによるダイヤル操作を受け付ける。発信先装置の電話番号の入力が完了すると、ステップＳ１２において、移動機は、当該電話番号への発信を開始するための発信実行ボタンや発信実行アイコンの押下などの発信実行要求を受け付け、電話発信を開始する。ステップＳ１３において、移動機は、通信モデムを介し音声発信要求をネットワーク（ＮＷ）に送信する。移動機から音声発信要求を受信すると、ステップＳ１４において、ＬＴＥ基地局は、３Ｇ基地局へのＣＳフォールバックを実行するため、移動機に３Ｇへの遷移指示又はハンドオーバ指示を送信する。当該遷移指示を受信すると、ステップＳ１５において、移動機の通信モデムは、近傍の３Ｇ基地局をサーチし、検出された３Ｇ基地局に遷移する。ステップＳ１６において、移動機は、遷移先の３Ｇ基地局に音声リクエストを送信し、ＣＳ通信を確立して音声通信を開始する。
【発明の概要】
【発明が解決しようとする課題】
【０００４】
このように、移動機がＬＴＥシステムに在圏しているとき、音声発信要求が移動機からネットワークに送信された後に、移動機を３Ｇシステムに遷移させている。このため、３Ｇシステムに在圏している移動機が音声発信を行う場合と比較して、音声発信処理を完了させるのにより多くの時間を要することになり、ユーザは、音声通信の開始までより多くの時間待機することになる。
【０００５】
上記問題点に鑑み、本発明の１つの課題は、音声非対応システムに在圏する移動機が迅速に音声通信を開始するための技術を提供することである。
【課題を解決するための手段】
【０００６】
上記課題を解決するため、本発明の一態様は、複数のＲＡＴ（Ｒａｄｉｏ  Ａｃｃｅｓｓ  Ｔｅｃｈｎｏｌｏｇｙ）により通信可能な移動機であって、入力インタフェース手段を介しユーザにより入力された操作を判断する入力操作判断部と、音声通信に対応したＲＡＴを用いた音声対応基地局と、音声通信に非対応なＲＡＴを用いた音声非対応基地局との間のＲＡＴ遷移を実行する通信制御部と、前記入力された操作が音声発信のための準備操作であると前記入力操作判断部が判断すると、在圏中の前記音声非対応基地局から前記音声対応基地局に遷移するよう前記通信制御部に指示する音声発信制御部と、を有する移動機に関する。
【発明の効果】
【０００７】
本発明によると、音声非対応システムに在圏する移動機が迅速に音声通信を開始することが可能になる。
【図面の簡単な説明】
【０００８】
【図１】図１は、従来技術によるＣＳフォールバック処理を示すシーケンス図である。
【図２】図２は、本発明の一実施例による音声発信処理を示すシーケンス図である。
【図３】図３は、本発明の一実施例による無線通信システムの概略図である。
【図４】図４は、本発明の一実施例による移動機の構成を示すブロック図である。
【図５】図５は、本発明の一実施例による音声発信処理を示すフロー図である。
【発明を実施するための形態】
【０００９】
以下、図面に基づいて本発明の実施の形態を説明する。
【００１０】
後述される各実施例は、音声通信に非対応なＲＡＴと、ＣＳフォールバックの遷移先となる音声通信に対応するＲＡＴとを含む複数のＲＡＴにより通信可能な移動機の音声発信処理に関する。音声通信に非対応なＲＡＴを用いた音声非対応基地局に在圏する移動機が、音声発信のための準備操作を検出すると、在圏基地局から音声通信に対応するＲＡＴを用いた音声対応基地局に遷移するためＲＡＴ遷移を実行する。当該音声発信のための準備操作として、ユーザによるダイヤル発信画面表示操作、ダイヤル操作、電話帳検索操作、発着信履歴表示操作などがあげられる。音声対応基地局への遷移後に発信開始ボタンの押下などの音声発信のためのユーザによる発信実行操作を検出すると、移動機は、音声対応基地局に音声発信要求を送信し、上述した音声非対応基地局から音声対応基地局へのＣＳフォールバックを実行することなく、当初から音声対応基地局において音声通信することが可能になる。
【００１１】
すなわち、図２に示されるように、音声通信に非対応なＬＴＥ基地局に在圏する移動機において、ユーザにより起動された通話アプリがダイヤル操作などのユーザによる音声発信のための準備操作を検出すると（ステップＳ１０１）、通話アプリは、音声通信に対応する３Ｇ基地局に遷移するよう通信モデムに指示する（ステップＳ１０２）。当該３Ｇ遷移指示を受信すると、通信モデムは、３Ｇ基地局を検索するための３Ｇサーチを実行する（ステップＳ１０３）。検出された３Ｇ基地局への遷移後に通話アプリが電話発信のためのユーザによる発信実行操作を検出すると（ステップＳ１０４）、通話アプリは、音声発信要求を３Ｇ基地局に送信する（ステップＳ１０５）。
【００１２】
従来、ＬＴＥ基地局に在圏する移動機は、ユーザから発信実行操作を受け付けると、ＬＴＥ基地局から３Ｇ基地局へのＣＳフォールバックの完了まで音声通話を開始することができなかった。本実施例によると、発信実行操作前の音声発信のための準備操作を検出すると、移動機は、３Ｇ基地局に遷移し、ＣＳフォールバックを実行することなく当初から３Ｇ基地局に音声発信することが可能になる。これにより、ＣＳフォールバックの完了を待機することなく迅速な音声発信が可能になると共に、ネットワークの制御シーケンスに係るトラフィックを抑制することが可能になる。
【００１３】
まず、図３を参照して、本発明の一実施例による無線通信システムを説明する。図３は、本発明の一実施例による無線通信システムの概略図である。
【００１４】
図３に示されるように、無線通信システム１０は、移動機１００と、互いに異なるＲＡＴを利用する基地局２０１，２０２とを有する。
【００１５】
移動機１００は、複数のＲＡＴにより通信可能であり、例えば、携帯電話、スマートフォン、タブレット、モバイルルータなどの無線通信機能を備えた何れかの情報処理装置として実現される。移動機１００は、典型的には、メモリ、プロセッサ、通信モデム、表示装置、入力装置などのハードウェアリソースから構成される。ユーザにより電源オンされると、メモリに格納されている各種プログラムをプロセッサが実行することによって、移動機１００は、通信モデムを介し基地局２０１，２０２などの近傍の基地局に位置登録（アタッチ）することによって、当該基地局に在圏する。その後、ユーザが表示装置に表示された画面を参照して所望の操作を入力装置に入力すると、移動機１００は、ＲＲＣ（Ｒａｄｉｏ  Ｒｅｓｏｕｒｃｅ  Ｃｏｎｔｒｏｌ）接続処理などの接続処理を実行して在圏基地局との接続を確立し、在圏基地局との通信を介し要求された処理をユーザに提供する。
【００１６】
図示された実施例では、基地局２０１は、移動機１００が現在在圏するサービング基地局であり、ＬＴＥなどの音声通信に非対応なＲＡＴを用いた音声非対応基地局である。他方、基地局２０２は、３Ｇなどの音声通信に対応するＲＡＴを用いた音声対応基地局である。
【００１７】
次に、図４を参照して、本発明の一実施例による移動機の構成を説明する。図４は、本発明の一実施例による移動機の構成を示すブロック図である。
【００１８】
図４に示されるように、移動機１００は、入力インタフェース部１１０、入力操作判断部１２０、音声発信制御部１３０及び通信制御部１４０を有する。
【００１９】
入力インタフェース部１１０は、ユーザが移動機１００に各種処理を実行させるための操作を入力するためのインタフェース手段であり、キーボード、マウス、操作ボタン、タッチパネル、マイクなどの各種入力装置により実現される。
【００２０】
入力操作判断部１２０は、入力インタフェース部１１０を介しユーザにより入力された操作を判断する。例えば、ユーザが操作ボタンを押下したり、又はタッチパネルのある位置を押下すると、入力操作判断部１２０は、押下された操作ボタン又は押下されたタッチパネルの位置に対応する操作を特定する。入力操作判断部１２０は、入力インタフェース部１１０に入力された操作が音声発信のための準備操作であるか判断する。一実施例では、音声発信のための準備操作は、以降にユーザが音声発信を行うことを推測させる操作である。例えば、音声発信のための準備操作は、入力インタフェース部１１０を介したユーザによるダイヤル発信画面表示操作、ダイヤル操作、電話帳検索操作、発着信履歴表示操作など、発信先装置を特定又は検索するための操作であってもよい。
【００２１】
ダイヤル発信画面表示操作は、例えば、発信先の電話機などの発信先装置を特定するため、電話番号などの識別情報を入力するためのダイヤル発信画面を表示させるための操作である。ユーザが移動機１００にダイヤル発信画面を表示するよう指示することは、その後にユーザが音声発信を行うことを推測させるものであり、音声発信のための準備操作であると考えられる。
【００２２】
ダイヤル操作は、例えば、発信先の電話機などの発信先装置を特定するため、電話番号などの識別情報を操作ボタンなどを介し入力するための操作である。ユーザが移動機１００のダイヤル操作ボタンを操作することもまた、その後にユーザが音声発信を行うことを推測させるものであり、音声発信のための準備操作であると考えられる。
【００２３】
電話帳検索操作は、例えば、移動機１００のメモリなどに記憶されている電話帳から特定の発信先装置を検索するための操作である。ユーザが電話帳から発信先装置を検索することもまた、その後にユーザが音声発信を行うことを推測させるものであり、音声発信のための準備操作であると考えられる。
【００２４】
発着信履歴表示操作は、例えば、移動機１００のメモリなどに記憶されている発信履歴及び／又は着信履歴を表示させるための操作である。ユーザが移動機１００に発着信履歴画面を表示するよう指示することは、その後にユーザが音声発信を行うことを推測させるものであり、音声発信のための準備操作であると考えられる。
【００２５】
このような音声発信のための準備操作の入力を検出すると、入力操作判断部１２０は、音声発信のための準備操作の検出を音声発信制御部１３０に通知する。しかしながら、本発明による音声発信のための準備操作は、これらに限定されることなく、以降において発信実行操作を推測させる何れかの操作であってもよい。
【００２６】
一実施例では、当該音声発信のための準備操作はメモリなどに予め登録される。また、このように予め登録された準備操作に加えて、音声発信のための準備操作は、ユーザによる発信実行操作前の操作履歴などに基づき動的に追加されてもよい。具体的には、発信実行操作前に行われる確率が所定の閾値以上であるユーザ操作が、音声発信のための準備操作として動的に登録されてもよい。例えば、あるユーザはウェブページ上に表示された電話番号をクリックすることによって音声発信する傾向が高い場合、ウェブページ上の電話番号のクリック操作を準備操作に加えるようにしてもよい。これにより、各ユーザの動作傾向に適合した音声発信のための準備操作を規定することが可能になる。
【００２７】
また、入力操作判断部１２０は、入力インタフェース部１１０に入力された操作が音声発信のための発信実行操作であるか判断する。例えば、ユーザが準備操作により指定された電話番号宛ての発信の開始に対応する操作ボタンを押下したり、又はタッチパネルに表示された発信の実行に対応するアイコンを押下すると、入力操作判断部１２０は、入力された操作が音声発信のための発信実行操作であると判断する。
【００２８】
しかしながら、本発明による音声発信のための発信実行操作は、これらに限定されることなく、移動機１００の実現形態に応じた他の何れか適切な操作であってもよい。このような音声発信のための発信実行操作が入力されたことを検出すると、入力操作判断部１２０は、発信実行操作の検出を音声発信制御部１３０に通知する。
【００２９】
音声発信制御部１３０は、入力された操作が音声発信のための準備操作であると入力操作判断部１２０が判断すると、在圏中の音声非対応基地局２０１から音声対応基地局２０２に遷移するよう通信制御部１４０に指示する。その後、音声対応基地局２０２への遷移後に音声発信のための発信実行操作が検出されると、音声発信制御部１３０は、音声対応基地局２０２に音声発信要求を送信するよう通信制御部１４０に指示する。これにより、発信実行操作を検出すると、移動機１００は、当初から音声対応基地局２０２に音声発信要求を送信することができ、迅速に音声発信を行うことが可能にする。
【００３０】
他方、音声対応基地局２０２への遷移前に音声発信のための発信実行操作が検出されると、音声発信制御部１３０は、ＲＡＴ遷移を中断し、基地局２０１に再在圏して音声発信要求を送信するよう通信制御部１４０に指示する。この場合、当該音声発信要求を受信した基地局２０１は、ＣＳフォールバックを実行するため、移動機１００に３Ｇ遷移指示を送信する。当該３Ｇ遷移指示を受信すると、通信制御部１４０は、３ＧをＲＡＴとして用いる近傍の基地局をサーチし、検出された基地局２０２に音声発信要求を送信する。
【００３１】
通信制御部１４０は、音声通信に対応するＲＡＴを用いた音声対応基地局と、音声通信に非対応なＲＡＴを用いた音声非対応基地局との間のＲＡＴ遷移を実行する。すなわち、音声発信制御部１３０からのＲＡＴ遷移指示に応答して、通信制御部１４０は、在圏中の音声非対応基地局２０１から音声対応基地局２０２への遷移を実行する。当該ＲＡＴ遷移が完了すると、通信制御部１４０は、音声発信制御部１３０にＲＡＴ遷移が完了したことを通知する。当該遷移完了通知に基づき、音声発信制御部１３０は、入力操作判断部１２０による発信実行操作の入力が基地局２０２への遷移後であるか否か判断することが可能になる。
【００３２】
他方、上述したように、音声対応基地局２０２への遷移前に音声発信のための発信実行操作を入力操作判断部１３０が検出すると、音声発信制御部１３０は、ＲＡＴ遷移中断指示を通信制御部１４０に送信する。当該ＲＡＴ遷移中断指示を受信すると、通信制御部１４０は、実行中の基地局２０２へのＲＡＴ遷移を中断し、基地局２０１に再在圏する。
【００３３】
一実施例では、通信制御部１４０は、在圏していた基地局２０１における移動機１００の動作状態に応じた動作状態により基地局２０２に遷移する。すなわち、移動機１００がアイドル状態で基地局２０１に在圏していた場合、通信制御部１４０は、遷移先の基地局２０２との間で接続を確立することなく位置登録（アタッチ）処理のみ実行して、基地局２０２においてアイドル状態で在圏してもよい。他方、移動機１００がｃｏｎｎｅｃｔｅｄ状態で基地局２０１に在圏していた場合、通信制御部１４０は、遷移先の基地局２０２との間で接続を確立し、基地局２０２においてｃｏｎｎｅｃｔｅｄ状態で在圏してもよい。
【００３４】
次に、図５を参照して、本発明の一実施例による移動機における音声発信処理を説明する。図５は、本発明の一実施例による音声発信処理を示すフロー図である。
【００３５】
図５に示されるように、ステップＳ２０１において、ＬＴＥなどの音声非対応のＲＡＴを用いた基地局２０１に在圏する移動機１００において、入力操作判断部１２０が、ユーザによるダイヤル発信画面表示操作、ダイヤル操作、電話帳検索操作、発着信履歴表示操作などの音声発信のための準備操作を検出する。
【００３６】
音声発信のための準備操作が検出されると、ステップＳ２０２において、音声発信制御部１３０は、３Ｇなどの音声対応のＲＡＴを用いた音声対応基地局に遷移するよう通信制御部１４０に指示する。
【００３７】
音声発信制御部１３０からの遷移指示に応答して、ステップＳ２０３において、通信制御部１４０は、音声対応のＲＡＴを用いた近傍の基地局をサーチする。
【００３８】
ステップＳ２０４において通信制御部１４０が音声対応のＲＡＴを用いた近傍の基地局２０２を検出した場合（Ｓ２０４：Ｙ）、当該フローはステップＳ２０５に移行し、通信制御部１４０は、検出した基地局２０２に在圏する。他方、ステップＳ２０４において通信制御部１４０が音声対応のＲＡＴを用いた近傍の基地局を検出できなかった場合（Ｓ２０４：Ｎ）、当該フローはステップＳ２１４に移行する。
【００３９】
ステップＳ２０６において、通信制御部１４０は、基地局２０１における移動機１００の動作状態がアイドル状態であったか判断する。移動機１００が基地局２０１においてアイドル状態であった場合（Ｓ２０６：Ｙ）、当該フローはステップＳ２０７に移行する。他方、移動機１００が基地局２０１においてｃｏｎｎｅｃｔｅｄ状態であった場合（Ｓ２０６：Ｎ）、当該フローはステップＳ２０８に移行し、基地局２０１における動作状態に応じてｃｏｎｎｅｃｔｅｄ状態により基地局２０２に在圏するようにするため、通信制御部１４０は、基地局２０２との接続を確立するためのＲＲＣ接続処理などの再接続処理を実行する。
【００４０】
ステップＳ２０７において、通信制御部１４０は、基地局２０２への位置登録が完了しているか判断する。基地局２０２への位置登録が完了している場合（Ｓ２０７：Ｙ）、当該フローはステップＳ２１０に移行する。他方、基地局２０２への位置登録が完了していない場合（Ｓ２０７：Ｎ）、当該フローはステップＳ２０９に移行し、通信制御部１４０は、基地局２０２への位置登録処理を実行する。これにより、移動機１００の基地局２０２への遷移が完了し、通信制御部１４０は、基地局２０２への遷移が完了したことを音声発信制御部１３０に通知する。
【００４１】
ステップＳ２１０において、入力操作判断部１２０は、ユーザによる発信実行操作を検出すると、当該発信実行操作の検出を音声発信制御部１３０に通知する。当該発信実行操作は、例えば、準備操作によりすでに指定された発信先装置の電話番号などに対する発信を開始するための操作ボタンの押下又はタッチパネルに表示された発信の開始に対応するアイコンの押下であってもよい。
【００４２】
ステップＳ２１１において、音声発信制御部１３０は、音声通信用のＲＡＴを用いた基地局２０２への遷移後であるため、基地局２０２に音声発信要求を送信するよう通信制御部１４０に指示する。
【００４３】
ステップＳ２１２において、通信制御部１４０は、基地局２０２との間で音声通信のためのＣＳベアラを確立し、ステップＳ２１３において、ＣＳ通信により音声通信を開始する。
【００４４】
ステップＳ２０４において通信制御部１４０が音声対応のＲＡＴを用いた近傍の基地局を検出できなかった場合（Ｓ２０４：Ｎ）、ステップＳ２１４において、通信制御部１４０は、基地局２０１に再在圏すると共に、音声発信制御部１３０に音声対応のＲＡＴを用いた近傍の基地局を検出できなかったことを通知する。
【００４５】
ステップＳ２１５において、入力操作判断部１２０は、ユーザによる発信実行操作を検出すると、当該発信実行操作の検出を音声発信制御部１３０に通知する。
【００４６】
ステップＳ２１６において、音声発信制御部１３０は、音声通信用のＲＡＴを用いた基地局でなく音声非対応基地局２０１に在圏しているため、通常のＣＳフォールバックにより音声発信を行うために、基地局２０１に音声発信要求を送信するよう通信制御部１４０に指示する。その後、基地局２０１からの音声対応ＲＡＴを用いた基地局への遷移指示により、当該フローはステップＳ２１２に移行して上述した処理が実行される。
【００４７】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００４８】
１０  無線通信システム
１００  移動機
１１０  入力インタフェース部
１２０  入力操作判断部
１３０  音声発信制御部
１４０  通信制御部
２０１，２０２  基地局
【図１】
2014204209.tif 000003
【図２】
2014204209.tif 000004
【図３】
2014204209.tif 000005
【図４】
2014204209.tif 000006
【図５】
2014204209.tif 000007